(57)【要約】【課題】本発明は、高機能でかつ小型化に優れた人体局部洗浄装置提供することを目的とする。【解決手段】本発明は、外装ケースと、この外装ケースに内蔵される制御手段用プリント回路基板と、同じく外装ケースに内蔵される操作手段用プリント回路基板とを備え、上記制御手段用プリント回路基板と操作手段用プリント回路基板とが、その一部を間隔をもって重なり合うように配置され、この重なり合う部分に、両プリント回路基板を電気的に結合するコネクタを設け、制御手段用プリント回路基板を操作手段用プリント回路基板よりも高い位置として、上記外装ケースと止着した人体局部洗浄装置である。【選択図】図１
2007162462.tif 000002
【特許請求の範囲】
【請求項１】
外装ケースと、この外装ケースに内蔵される制御手段用プリント回路基板と、同じく外装ケースに内蔵される操作手段用プリント回路基板とを備え、上記制御手段用プリント回路基板と操作手段用プリント回路基板とが、その一部を間隔をもって重なり合うように配置され、この重なり合う部分に、両プリント回路基板を電気的に結合するコネクタを設け、制御手段用プリント回路基板を操作手段用プリント回路基板よりも高い位置として、上記外装ケースと止着した人体局部洗浄装置。
【請求項２】
請求項１において、制御手段用プリント回路基板を止着する取付け支持部材の先端が弾性を有する人体局部洗浄装置。
【発明の詳細な説明】
【技術分野】
【０００１】
本発明は、人体局部洗浄装置に関する。
【背景技術】
【０００２】
図２と図３に示すように、従来からの人体局部洗浄装置１は、洗浄ノズル装置２や温風乾燥ユニット３、局部洗浄用の温水を貯湯する温水タンク４、温水タンク４に水を供給する給水ユニット５等を外装ケース６内の空所に収納し、外装ケース６には、便座、便蓋が枢支手段（図示せず）により開閉自在に取付けられている。
【０００３】
洗浄ノズル装置２や温風乾燥ユニット３を作動させる場合には、前記外装ケース６の端部に設けられる操作スイッチ７部の洗浄、温風乾燥等の各操作スイッチ７を選択することにより、外装ケース６の空所に収納された制御手段１３から前記操作スイッチ７の操作に対応する制御信号を出力し、洗浄スイッチ７ａが選択された場合は、この制御信号により給水ユニット５を駆動して温水タンク４内の温水を順次、洗浄ノズル装置２に供給、温水を人体局部に向けて噴射、局部洗浄を行い、洗浄後、温風乾燥スイッチ７ｂが選択されると温風乾燥ユニット３を駆動し、温風を噴出させて局部の乾燥を行っていた。
【０００４】
制御手段１３は、マイクロコンピュータ等の半導体素子や抵抗、コンデンサ等から構成される電子部品を実装した制御手段用プリント回路基板９から構成され、一面が開口した箱状の制御手段用ケース１０内に収納し、つづいて、前記制御手段用ケース１０内にエポキシ樹脂等の合成樹脂を電子部品が包埋する程度に充填し、樹脂皮膜層を形成することにより、前記制御手段用プリント回路基板９の半導体素子等の電子部品の防水及び絶縁性能の向上を図るように構成されている。そして、制御手段１３は、その制御手段用ケース１０により人体局部洗浄装置の外装ケース６の空所に設けた複数の取付支持部材１２に、ねじ等の止着手段を用いて取付けてある。
【０００５】
操作手段１４も、制御手段１３と同様に、半導体素子や、抵抗、コンデンサ及びマイクロスイッチ等の電子部品を実装した操作手段用プリント基板８から構成される。但し、人体局部洗浄装置１により、操作手段１４の外装ケース６への取付け構造は異なり、前記制御手段１３と同じ制御手段用プリント回路基板９の上に、電子部品が実装され、制御手段１３と一体となり、前記外装ケース６に取付けられる場合や、前記制御手段１３と同様に操作手段用ケース（図示せず）を有し、操作手段用ケースを外装ケース６の空所に設けた複数の取付け部材１２に、ねじ等の止着手段を用いて取付けられるもの、操作手段用ケースが無く、操作手段用プリント回路基板８を直接外装ケース６の空所に設けた複数の取付支持部材１２に、ねじ等の止着手段を用いて取付けるもの等がある。何れの場合も、操作手段１４と制御手段１３とは、回路的または複数の電線をコネクタ１１を用い電気的に結合される。また、操作手段の位置は、外装ケース６の操作スイッチ７部分に対応するよう取付けられている。
【特許文献１】実公平３−０４２１４９号公報
【特許文献２】特開平８−３１６８６８号公報
【発明の開示】
【発明が解決しようとする課題】
【０００６】
近年、人体局部洗浄装置１は、部屋暖房洗浄の種類の追加等、洗浄の種類の充実化が進み、このため、人体局部洗浄装置１の制御手段１３及び操作手段１４の電子部品実装数が増大し大型化する一方、人体局部洗浄装置１は設置場所の関係から、特に幅方向の小型化が要求されている。
【０００７】
ところが、前記のように制御手段１３及び操作手段１４を外装ケース６の空所を利用して取付ける場合、制御手段１３または操作手段１４を構成する電子部品の実装数が増大し、制御手段１３または操作手段１４自体が大型化、電線の増加、制御手段１３または操作手段１４自体が大型化したことにより取付支持部材１２が増設される等により、洗浄ノズル装置２等の洗浄部品の設置スペースが減少することになり、洗浄ノズル装置２や洗浄部品を適性に外装ケース６空所に収納するためには、外装ケース６自体を大きくするしかなく、これでは人体局部洗浄装置１が必然的に大型化するという課題があった。
【０００８】
本発明は、高機能でかつ小型化に優れた人体局部洗浄装置提供することを目的とする。
【課題を解決するための手段】
【０００９】
本発明の人体局部洗浄装置は、便器上に設置され、人体局部を洗浄する洗浄部と、洗浄の種類と動作を選択するための操作手段と、この操作手段に対応して洗浄部を制御する制御手段とを有し、操作手段と制御手段とが電子部品を実装したプリント回路基板で構成され、これらが外装ケース内に内蔵される人体局部洗浄装置であって、制御手段用プリント回路基板の実装面と操作手段用プリント回路基板の実装面とが相対するように、かつ一方のプリント回路基板の実装面に対して垂直方向から見たときに、両プリント回路基板の一部が重なるように配置したことを特徴とする。
【００１０】
また、外装ケースと、この外装ケースに内蔵される制御手段用プリント回路基板と、同じく外装ケースに内蔵される操作手段用プリント回路基板とを備え、上記制御手段用プリント回路基板と操作手段用プリント回路基板とが、その一部を間隔をもって重なり合うように配置され、この重なり合う部分に、両プリント回路基板を電気的に結合するコネクタを設け、制御手段用プリント回路基板を操作手段用プリント回路基板よりも高い位置として、上記外装ケースと止着したことを特徴とする。
【００１１】
さらに、上記において、制御手段用プリント回路基板を止着する取付け支持部材の先端が弾性を有することを特徴とする。
【００１２】
両プリント回路基板の一部が重なる部分には、制御手段用プリント回路基板と操作手段用プリント回路基板との電気的接続部品を設けることができ、省スペースの上で好ましい。
【００１３】
さらに、この両プリント回路基板の一部が重なる部分には、制御手段用プリント回路基板と外装ケース、及び、操作手段用プリント回路基板と外装ケースとの共通の取付け支持部材を設けることができ、さらに省スペースを進める上で好ましい。
【発明の効果】
【００１４】
本発明によって、高機能でかつ小型化に優れた人体局部洗浄装置提供することができる。
【発明を実施するための最良の形態】
【００１５】
本発明では、洗浄の種類を選択するための操作手段１４と、この操作手段１４に対応して洗浄部を動作、制御する制御手段１３とを個別に有し、これらを外装ケース６内に内蔵する際、制御手段用プリント回路基板９の実装面側に実装面に垂直方向に投影される制御手段用プリント回路基板９の投影面と操作手段用プリント回路基板８とが、操作手段用プリント回路基板８上のマイクロスイッチ等と外装ケース６の操作スイッチ７の操作に支障の無い範囲で交わるよう、かつ両プリント回路基板の部品が干渉しない間隔で、実装面が相対するように、外装ケース６に取付けることにより、制御手段１３と操作手段１４の投影面積を単純に足し合わせた面積に対し、制御手段１３の投影面が操作手段１４に一部掛かり、したがって制御手段１３と操作手段１４の投影面積は小さくなる。特に、人体局部洗浄装置１の幅方向で、このように操作手段１４に制御手段１３の投影面が掛かるように制御手段１３を取付けることにより、人体局部洗浄装置１の幅を、投影面に掛かる面積分、拡げる必要がなくなる。
【００１６】
更に、操作手段１４は、外装ケース６の操作スイッチ７に対応するように取付けられるため、一次側（商電圧）の多い制御手段用プリント回路基板９の実装面は略下向きとなる。したがって、制御手段用プリント回路基板９に水が付着しても、重力により水を排除することができ、電気絶縁性が更に向上する。
【００１７】
次に、制御手段１３の投影面が操作手段１４に掛かる部分的に、操作手段１４と制御手段１３とを電気的に結合する、圧着コネクタ１１ａ、圧接コネクタ１１ｂ、フラットケーブルコネクタ１１ｃ等のコネクタ１１を実装、結合させることにより、両プリント回路基板を最短で結合できるため、余分な電線及び電線取り回しスペースを要することなく、制御手段１３と操作手段１４の内蔵が可能である。更に、基板対基板コネクタ１１ｄの場合は、電線を使わずに制御手段用プリント回路基板９と、操作手段用プリント回路基板８との電気的結合が可能なものであり、更に余分なスペースを必要としない。
【００１８】
また、制御手段１３と操作手段１４とを別々に外装ケース６に取付ける場合、取付支持部材１２はそれぞれ必要となるが、制御手段１３の投影面が操作手段１４に掛かる部分に、制御手段１３と操作手段１４とを、ある間隔をもって、外装ケース６と取付可能な取付支持部材１２を設けることにより、取付支持部材１２を最低でも１箇所削減することが可能である。取付支持部材１２と制御手段用プリント回路基板９、操作手段用プリント回路基板８の支持または止着方法については、リブ等による支持、ねじまたは弾性嵌合等による止着等どんな方法でもよい。
【実施例】
【００１９】
以下、本発明の実施例を図１を用いて説明する。本実施例では、操作手段１４を構成する操作手段用プリント回路基板８は、マイクロスイッチ等が実装される面を操作スイッチ７側にして外装ケース６内に内蔵される。次に、制御手段１３は、本体ケース６の操作スイッチ７部側の上部空所に、制御手段用プリント回路基板９が操作手段用プリント回路基板８と平行、かつ実装面が操作手段用プリント回路基板に相対するように設けられ、したがって制御手段用ケース１０の開口は、人体局部洗浄装置１に対して略下向きとなる。制御手段用プリント回路基板９と操作手段用プリント回路基板８とは、人体局部洗浄装置１の幅方向で制御手段用プリント回路基板９の投影面が操作手段用プリント回路基板８に掛かるように配置され、この投影面が掛かる部分に、制御手段用プリント回路基板９と操作手段用プリント回路基板８とを電気的に結合するためのコネクタ１１が設けられ、結合される。この場合は、コネクタ１１は基板対基板コネクタ１１ｄであり、電線はなく、電線を取り回すスペースの確保の必要ない。更に、操作手段１４は、前記投影面が掛かる部分に、取付支持部材１２が嵌合する嵌合穴が設けられ、取付支持部材１２に設けられたフランジ部により、ある高さで支持されている。また、操作手段１４を嵌合、支持した取付支持部材１２の先端は制御手段１３に弾性嵌合する構造を有し、制御手段１３を外装ケース６に止着する。
【００２０】
以上、本発明の制御手段取付構造によれば、洗浄の種類を選択するための操作手段１４と、この操作手段１４に対応して洗浄部を動作、制御手段１３とを個別に有し、これらを外装ケース６内に内蔵する際、制御手段用プリント回路基板９の実装面側に実装面に垂直方向に投影される制御手段用プリント回路基板９の投影面が、操作手段用プリント回路基板８に掛かり、かつ両プリント回路基板の実装面が相対するように配置し、外装ケース６に取付ける構造としたことにより、制御手段１３の投影面が操作手段１４に掛かり、制御手段１３と操作手段１４を人体局部洗浄装置１に内蔵した状態において、制御手段１３と操作手段１４の投影面上の占有面積を小さくでき、したがって、人体局部洗浄装置の大型化を抑制することが可能である。次に、制御手段１３の投影面が操作手段１４に掛かる部分内に、コネクタ１１を設け、両プリント回路基板を電気的に結合することができ、余分な電線を引き回すスペースも必要としない。更に、制御手段１３の投影面が操作手段１４に掛かる部分に、制御手段及び操作手段と外装ケースとを、ある間隔を持って取付可能な取付支持部材１２を設けることにより、取付支持部材１２を最低でも１箇所削減することが可能となり、空いたスペースを用いて洗浄部品等の充実化が図れる。
【図面の簡単な説明】
【００２１】
【図１】（ａ）は本発明の一実施例を示す断面図であり、（ｂ）は（ａ）のＰ矢視断面図である。
【図２】（ａ）は従来例を示す断面図であり、（ｂ）は（ａ）のＱ矢視断面図である。
【図３】従来例の外観を示す斜視図である。
【符号の説明】
【００２２】
１．人体局部洗浄装置                  ２．洗浄ノズル装置
３．温風乾燥ユニット                  ４．温水タンク
５．給水ユニット                      ６．外装ケース
７．操作スイッチ                      ８．操作手段用プリント回路基板
９．制御手段用プリント回路基板        １０．制御手段用ケース
１１．コネクタ                        １２．取付支持部材
１３．制御手段                        １４．操作手段
【図１】
2007162462.tif 000003
【図２】
2007162462.tif 000004
【図３】
2007162462.tif 000005